(57)【要約】【課題】機器の脚部を支点に傾斜するように一部を持ち上げただけで、容易に設置面を滑らせて移動させることができ、かつ、安定した設置と利用を可能とさせる脚部構造を提供する。【解決手段】平面状の設置面に配置して利用される機器の底部に前記設置面と接するように設けられた前脚部と、少なくとも第一の部材と第二の部材の二つから構成される後脚部とからなる脚部構造を採用し、前記後脚部側を支点に、前記前脚部側の前記機器の一端部を前記設置面から持ち上げると、前記設置面に配置している時に接していた後脚部の接地部の部材が前記第一の部材から前記第二の部材に接するように換わるように構成した。ここで、第二の部材は第一の部材より前記設置面に対して滑りやすい部材であることを特徴である。【選択図】図２
2011071298.tif 000002
【特許請求の範囲】
【請求項１】
平面状の設置面に配置する機器であって配置した前記機器の前方にユーザーが対峙して利用する機器の底部に前記設置面と接するように設けられた前脚部と、少なくとも第一の部材と第二の部材の二つから構成される後脚部とからなる脚部構造であって、
前記後脚部側を支点に、前記前脚部側の前記機器の一端部を前記設置面から持ち上げると、前記設置面に配置している時に接していた後脚部の接地部の部材が前記第一の部材から前記第二の部材に接するように換わり、第二の部材は第一の部材より前記設置面に対して滑りやすい部材であることを特徴とする機器の脚部構造。
【請求項２】
前記前脚部側の前記機器の一端部を前記設置面から持ち上げると、前記第一の部材から前記第二の部材が接するように換わる際に、前記後脚部の接地状態の変移は、第一の部材のみが接している状態から、第一の部材と第二の部材が接している状態を経由して、第二の部材のみが接している状態になるように部材構成した後脚部であることを特徴とする請求項１に記載の脚部構造。
【請求項３】
前記機器は情報処理装置で、前記第一の部材は軟質ゴムで、前記第二の部材は硬質ゴムあるいはプラスチックであることを特徴とする請求項1または２に記載の脚部構造。
【請求項４】
前記前脚部は、前記第一の部材と同等もしくはそれ以上の滑り止め効果のあるクッション性を有す軟質の弾性体部材と、前記弾性体部材の吸収スペースとからなり、
前記情報処理装置の前記前脚部側の前記機器の一端部に、操作者によって前記情報処理装置が操作される際にさらなる荷重がかかる時には、前記弾性体部材の一部が前記吸収スペースにさらに入り込むことを特徴とする請求項1乃至３に記載の脚部構造。
【請求項５】
前記後脚部は、前記第一の部材の吸収スペースを有し、後脚部への荷重に応じて前記第一の部材の一部が前記第一の部材の吸収スペースに入り込み、
さらに、前記第一の部材は、前記第二の部材が接地面に接する部分を除いて、前記第二の部材を略包み込むように構成されることを特徴とする請求項１乃至４に記載の脚部構造。
【発明の詳細な説明】
【技術分野】
【０００１】
本発明は、ノート型パーソナルコンピュータ等の各種機器の底部に設けた滑り止め機能を有する脚部構造に関する。
【背景技術】
【０００２】
従来、滑り止め機能を有する脚部の構造については、脚部の機器設置面へ接触する部分に、滑り止めのゴム部材を貼り付けたもの、あるいは、組み込んだもの等が一般に知られている。
【０００３】
一方、ユーザーには、機器移動時に機器を完全に持ち上げずに脚部を設置面上に滑らせることで、簡単に機器を移動させることができ、かつ、使用時には滑らないようにしっかり機器を設置面に設置できるようにしたいというユーザーニーズがある。
特許文献1には、このニーズに対応した技術が開示されている。特許文献1に記載の技術は、脚部に被せて使用する滑り止め面と滑り面を具備した滑り止めカバーに関するものである。詳細には、脚部が支える家具などに荷重が大きく掛かる時は滑り止め面が接地面に接触し、安定した設置を可能とさせ、荷重が小さい時は滑り面が接地面に接触し、滑らせて移動させやすくする技術である。
【先行技術文献】
【特許文献】
【０００４】
【特許文献１】特開２０００−７９０２８号公報
【発明の開示】
【発明が解決しようとする課題】
【０００５】
特許文献1には、椅子に人が座った場合は荷重が大きく、座っていない場合は荷重が小さいので、座っていない時に椅子を滑らせて移動し易くすることができる等の効果が例示されている。
【０００６】
つまり、特許文献１に記載の技術では、設置時から移動時に、脚部が鉛直方向逆側（反重力側）にやや浮き上がった状態にならないと、移動を容易にすることができない。従って、特許文献１に記載の技術をノート型パーソナルコンピュータの脚部に応用した場合、該コンピュータを設置面からほぼ鉛直方向逆側（反重力側）に、ユーザーがやや持ち上げないと、滑らせるような移動が可能とならない。具体的には、前脚部２つと後脚部２つで安定設置した機器を、ユーザーが前脚部側を持ち上げて機器を斜めにした状態で、後脚部を設置面に滑らせて簡単に移動させるようなことを実現したくとも特許文献１に記載の技術では実現ができない。
【０００７】
本発明は、上記事情に鑑みてなされたものであり、機器の脚部を支点に傾斜するように一部を持ち上げただけで、容易に設置面を滑らせて移動させることができ、かつ、安定した設置と利用を可能とさせる脚部構造の提供を目的とする。
【課題を解決するための手段】
【０００８】
本発明の第１の脚部構造は、平面状の設置面に配置する機器であって配置した前記機器の前方にユーザーが対峙して利用する機器の底部に前記設置面と接するように設けられた前脚部と、少なくとも第一の部材と第二の部材の二つから構成される後脚部とからなる脚部構造であって、前記後脚部側を支点に、前記前脚部側の前記機器の一端部を前記設置面から持ち上げると、前記設置面に配置している時に接していた後脚部の接地部の部材が前記第一の部材から前記第二の部材に接するように換わり、第二の部材は第一の部材より前記設置面に対して滑りやすい部材であることを特徴とする。
【０００９】
本発明の第２の脚部構造は、第１の脚部構造に対して、前記前脚部側の前記機器の一端部を前記設置面から持ち上げると、前記第一の部材から前記第二の部材が接するように換わる際に、前記後脚部の接地状態の変移は、第一の部材のみが接している状態から、第一の部材と第二の部材が接している状態を経由して、第二の部材のみが接している状態になるように部材構成した後脚部であることを特徴とする。
【００１０】
本発明の第３の脚部構造は、第１の脚部構造または第２の脚部構造に対して、前記機器は情報処理装置で、前記第一の部材は軟質ゴムで、前記第二の部材は硬質ゴムあるいはプラスチックであることを特徴とする。
【発明の効果】
【００１１】
本発明によれば、機器の脚部を支点に傾斜するように一部を持ち上げただけで、容易に設置面を滑らせて移動させることができ、かつ、安定した設置と利用を可能とさせる脚部構造を提供することができる。
【図面の簡単な説明】
【００１２】
【図１】本発明の実施の形態の情報処理装置の側面図と脚部の拡大図である。
【図２】本発明の実施の形態の情報処理装置の移動時の状態を示す側面図である。
【図３】本発明の実施の形態の情報処理装置の底面図である。
【発明を実施するための最良の形態】
【００１３】
以下、図面を参照して本発明を実施するための最良の形態について説明する。図１は、本発明が利用される一例のノート型パーソナルコンピュータの側面図である。また、図１には、本発明の主要部分である脚部の拡大図も添えてある。
【００１４】
ノート型パーソナルコンピュータ１は、接地面Ｘに設置されている。接地面Ｘは平面状で、机の机上面と考えて良い。ノート型パーソナルコンピュータ１は図１の右側部が後部で左側が前部である。ユーザーは前部側から上面側に配置されるディスプレイ部を開き、ディスプレイ部を視認できる状態にして、不図示のキーボード部を露出させて前部側からキー入力を行うことができる。この際にユーザーはノート型パーソナルコンピュータ１のキーボード部の前部側に配置された不図示のパームレスト等に腕を置きながらキー入力を行うことができる。
【００１５】
ノート型パーソナルコンピュータ１は後脚部２と前脚部３を有している。後脚部２は、拡大断面図に示すように、軟質ゴム後脚２１と硬質ゴム後脚２３とで構成されている。前脚部３は、軟質ゴム前脚３１で構成されている。さらに、ノート型パーソナルコンピュータ１は上側から荷重を受けると軟質ゴム後脚２１と軟質ゴム前脚３１が圧縮されてクッション性を確保するが、その効果をさらに高めるために、軟質ゴム部材の一部が入り込む逃げのスペースとして、後脚部２には、後脚ゴム吸収スペース２２が、前脚部３には前脚ゴムスペース３２が設けられている。
【００１６】
詳細には、後脚ゴム吸収スペース２２は、ノート型パーソナルコンピュータ１の底部筐体に軟質ゴム後脚２１を嵌め込むように設けるための筐体の凹み部分の一部をさらに凹ませるように形成したものである。軟質ゴム後脚２１をノート型パーソナルコンピュータ１に接着して、設置するのであれば、嵌め込みのための筐体の凹み部分は不要なので、その場合は接着面の一部を凹ませるように形成したものでも良い。また、接着と嵌め込みは併用しても良い。これは、前脚部も同様に考えて良い。
【００１７】
軟質ゴム後脚２１はクッション性があって滑りにくい材料であれば良く、硬質ゴム後脚２３は、前者に比べ滑り易い材料あれば、ジュラコンなどのプラスチック材料を用いても良い。図１に示す前脚部の断面拡大図を見ると、後脚部に比較し、軟質ゴム前脚３１の一部部材が前脚ゴム吸収スペース３２に対して入り込んでいるのが分かる。これは、ノート型パーソナルコンピュータ１は、キー入力時に前部上側からユーザーの腕の荷重を受けるので、軟質ゴム前脚３１の部材は、軟質ゴム後脚２１の部材以上のクッション性を有す弾性体で構成されているからである。
【００１８】
しかしながら、十分なクッション性と滑り止め効果を有す素材あるいは構造体をコスト的に前脚部と後脚部に採用できるのであれば、軟質ゴム前脚３１と軟質ゴム後脚２１は同様に構成しても良い。
【００１９】
ノート型パーソナルコンピュータ１が接地面Ｘに設置されている時は、後脚部２の軟質ゴム後脚２１は、Ｙ部分で接地面Ｘに接している。硬質ゴム後脚２３は、接地面Ｘから浮き上がっているように構成する。硬質ゴム後脚２３が軟質ゴム後脚２１と同様に接地面Ｘに接する構造を採用しても良いが、その場合は、軟質ゴム後脚２１の接地面Ｙより小さい領域で硬質ゴム後脚２３は接しているようにすることが必要である。
【００２０】
つまり、脚部により支えられる機器が水平設置されている時は、滑りにくくすることが必要なので、摩擦係数が高い素材が低い素材と比較して機器荷重を多く受けとめ、摩擦係数の高い素材の接地部面積が低い素材に対して大きくなるようにする必要がある。
【００２１】
また、ノート型パーソナルコンピュータ１に代表されるような情報処理装置をユーザーが机に置いたり、リビングテーブルに置いたりと設置場所を変える度に、設置時の急な荷重を脚部は受けとめる必要があるので、それを緩和するために、設置時に接地面と接する脚部部分は弾性を有するようにするか、クッション性材料で構成されることが望ましい。キーボード利用時にユーザーから繰返しかかる荷重を和らげるように、前脚部は、特にクッション性を有す弾性体部材等で構成されることが望ましい。
【００２２】
次に図２を参照し、本発明を実施するための最良の形態の脚部構造を有す機器の移動容易性について説明する。図２は、ノート型パーソナルコンピュータ１の前部をユーザーが少し持ち上げたイメージを示す側面図である。この際の後脚部２の拡大断面図も添えてある。
【００２３】
ユーザーがノート型パーソナルコンピュータ１の前部を持ち上げると、前脚部３は接地面Ｘから離れ、後脚部２のみが接地面Ｘと接するようになる。この時、前部をユーザーが持ち上げていくと、それに応じて、後脚接地部Ｙは、徐々に接地面Ｘから離れ、そして硬質ゴム後脚２３が接するように、後脚部２の接地面Ｘと接する部分が変化していく。ユーザーは前方を持って、後脚側を支点に前部を持ち上げるだけだが、実際には接地面Ｘと接するパーソナルコンピュータ１の荷重を受けとめる支点部分は、軟質ゴム後脚２１から、軟質ゴム後脚２１と硬質ゴム後脚２３の両方が接した状態を経由し、硬質ゴム後脚２３が接した状態に変化することになる。
【００２４】
これはユーザーが持ち上げたり戻したりする時のパーソナルコンピュータ１などの精密な機器への衝撃を少しでも抑えることが望まれるために、支点移動を極力滑らかにするためである。しかしながら、前記に比べ衝撃抑制の必要性が低ければ、必ずしも軟質ゴム後脚２１と硬質ゴム後脚２３の両方が接した状態を経由し、支点移動させるような構造を取る必要は無い。
【００２５】
このような構成をとることによって、滑りにくい脚部材料で安定設置していた機器を、ユーザーが機器の前部を少し持ち上げるだけで、容易に前方や後方に設置面を滑らすように移動させることができる。ノート型パーソナルコンピュータ１の利用形態を考慮すると特にこれは重要である。すなわち、ユーザーは机上で利用する時の最適な操作ポジションにノート型パーソナルコンピュータ１を引っ張り出したり、操作を終えた後、机上の収納位置に戻したりということを、ストレス無く少しだけ前方を持ち上げるだけで可能になるからである。軟質ゴムは硬質ゴムに比較し、滑りにくくグリップ力もあり装置の安定設置に寄与する。
【００２６】
また、移動時に設置面を滑らせる時に接する部分を硬質ゴムあるいはプラスチック材料にすることで、滑りやすくし移動容易性を高めるだけで無く、ゴムが削られるのも防止することができる。硬質ゴムやプラスチック材料は、グリップ力は劣るものの軟質ゴムに比較し、削れにくい特性を有すからである。更なるメリットとしては、移動時のノイズ軽減にも寄与する。硬質ゴムやプラスチック材料は、グリップ力は劣るものの軟質ゴムに比較し、机上等を滑らせる時の滑りノイズが小さい特性を有すからである。
【００２７】
最後に、図３を参照して、後脚部２と前脚部３の機器への配置関係を説明する。図３は、ノート型パーソナルコンピュータ１の底面図である。それぞれ前方に前脚部３が二つ、後方に後脚部２が均等に荷重を受けるように配置されている。ここでは丸型で計４個の脚構造を採用しているが、形状は適宜変更しても構わないし、個数も前方に一つ後方に一つの少なくとも二つでも構わない。二つの場合は、平面への安定設置性を確保する必要があるので、矩形状の脚部構造にして接触面を大きく取る必要がある。
【００２８】
例えば、図３の前脚部３の二つを繋げたような矩形型前脚部と、後脚部２の二つを繋げた矩形型後脚部とで構成することも可能である。
【００２９】
後脚部２の軟質ゴム後脚２１と硬質ゴム後脚２３の関係は、底面側から見ると、移動時に機器を傾けた時に接する硬質ゴム後脚２３の接触する一部分を残し、軟質ゴム後脚２１で包み込まれるように構成されていることが分かる。これは、移動時の滑りやすさを確保するために、接地部は硬質ゴム後脚２３の一部部材が接触する必要があるが、その場合であってもクッション性は確保できたほうが良いためである。すなわち、よりクッション性を有す軟質ゴム後脚２１の部材で硬質ゴム後脚２３を包み込むことで、両者の良い特性を活かすことができるからである。
【００３０】
特に重要な点は、図２の後脚部２の断面拡大図で示すように、硬質ゴム後脚２３の接地面Ｘとの接地部に荷重がかかる際に、機器の荷重が軟質ゴム後脚２１を通じて硬質ゴム脚２３の接地部にかかるように、軟質ゴム後脚２１の部材で硬質ゴム後脚２３を包み込むような構成をとることである。
【００３１】
以上のように、機器の脚部を支点に傾斜するように一部を持ち上げただけで、容易に設置面を滑らせて移動させることができ、かつ、安定した設置と利用を可能とさせる脚部構造を提供することができる。そして、前記効果を実現しつつ、移動時の機器への衝撃抑制やノイズや脚部の部材の削れカスの低減にも効果のある脚部構造の提供も可能である。
【符号の説明】
【００３２】
１  ノート型パーソナルコンピュータ
２  後脚部
３  前脚部
２１  軟質ゴム後脚
２２  後脚ゴム吸収スペース
２３  硬質ゴム後脚
３１  軟質ゴム前脚
３２  前脚ゴム吸収スペース
Ｘ  接地面
Ｙ  後脚接地部
【図１】
2011071298.tif 000003
【図２】
2011071298.tif 000004
【図３】
2011071298.tif 000005